(57)【要約】      （修正有）【課題】熟練の技を要することなく、誰でも簡単に布地リボンを用いた物品の装飾を行うことができる布地リボン体を提供する。【解決手段】少なくとも表面に所定形状の模様を形成すると共に、裏面に弱粘着剤層１４を形成して成る帯状の布地リボン１６を、該布地リボン１６裏面の弱粘着剤層１４が、布地リボン１６表面と剥離可能な状態で巻回して成る布地リボン体。上記布地リボン１６の裏面にも所定形状の模様を形成すると共に、上記弱粘着剤層１４を透明と成しても良い。【選択図】図４
0003183611.tif 000002
【実用新案登録請求の範囲】
【請求項１】
少なくとも表面に所定形状の模様を形成すると共に、裏面に弱粘着剤層を形成して成る帯状の布地リボンを、該布地リボン裏面の弱粘着剤層が、布地リボン表面と剥離可能な状態で巻回して成ることを特徴とする布地リボン体。
【請求項２】
上記布地リボンの裏面にも所定形状の模様を形成すると共に、上記弱粘着剤層が透明であることを特徴とする請求項１に記載の布地リボン体。
【考案の詳細な説明】
【技術分野】
【０００１】
この考案は布地リボン体に係り、特に、熟練の技を要することなく、誰でも簡単に布地リボンを用いた物品の装飾を行うことができる布地リボン体に関する。
【背景技術】
【０００２】
従来より、贈り物や置物等の各種物品を装飾するため、表面に所定形状の模様が形成された帯状の布地リボンを巻き付けることが行われており、上記布地リボンは立体感があるため高級感のある装飾を行うことができる。
【考案の概要】
【考案が解決しようとする課題】
【０００３】
従来の布地リボンを用いて物品の装飾を行うためには、物品に巻き付けた布地リボンを結ぶ必要があるが、美観のある巻き付け及び結び目を作るには熟練の技が要求されると共に、時間及び手間がかかるものであった。
【０００４】
本考案は、従来の上記問題点に鑑みて案出されたものであり、その目的とするところは、熟練の技を要することなく、誰でも簡単に布地リボンを用いた物品の装飾を行うことができる布地リボン体を実現することにある。
【課題を解決するための手段】
【０００５】
上記の目的を達成するため、本考案の請求項１に記載の布地リボン体は、
少なくとも表面に所定形状の模様を形成すると共に、裏面に弱粘着剤層を形成して成る帯状の布地リボンを、該布地リボン裏面の弱粘着剤層が、布地リボン表面と剥離可能な状態で巻回して成ることを特徴とする。
【０００６】
本考案の請求項２に記載の布地リボン体は、請求項１に記載の布地リボン体において、
上記布地リボンの裏面にも所定形状の模様を形成すると共に、上記弱粘着剤層が透明であることを特徴とする。
【考案の効果】
【０００７】
本考案に係る布地リボン体にあっては、布地リボンの裏面に弱粘着剤層が形成されているので、巻回された布地リボンの先端を摘んで任意の長さ引き出して切断後、物品に貼り付けるだけで、誰でも簡単に布地リボンを用いた物品の装飾を行うことができる。
【０００８】
また、布地リボン裏面の弱粘着剤層は、布地リボン表面と剥離可能な弱粘着力であるため、物品へ一度貼り付けた後に簡単に剥がすことができ、装飾の修正・変更を簡単に行うことができる。
【０００９】
請求項２に記載の如く、布地リボンの裏面にも所定形状の模様を形成すると共に、弱粘着剤層を透明と成した場合には、物品の装飾時に布地リボンが折り返されて裏面が表側になっても、布地リボン裏面の模様が視認されるので、自由度の高い効果的な装飾を行うことができる。
【図面の簡単な説明】
【００１０】
【図１】本考案に係る布地リボン体を示す分解斜視図である。
【図２】本考案に係る布地リボンの平面図である。
【図３】図２のＡ−Ａ’断面図である。
【図４】本考案に係る布地リボンの巻回状態を示す部分拡大断面図である。
【図５】本考案に係る布地リボンの使用状態を示す斜視説明図である。
【図６】本考案に係る布地リボンの使用状態を示す斜視説明図である。
【考案を実施するための形態】
【００１１】
以下、図面に基づき、本考案に係る布地リボン体の一実施形態を説明する。
図１〜図４に示すように、本考案に係る布地リボン体10は、表面に多数の矩形状の模様12が形成されると共に、裏面に弱粘着剤層14が形成された長尺な帯状の布地リボン16を備えている。
【００１２】
上記布地リボン16は、天然繊維（絹、綿等）や、合成繊維（ナイロン、アクリル、ポリエステル等）等の適宜な繊維を長尺な帯状に織成することにより形成されている。
【００１３】
上記模様12は、模様形成箇所に色の異なる繊維を用いて模様12の形状に織成したり、模様形状に形成された布を、布地リボン16の表面に貼着する等、適宜な方法で形成することができる。本実施形態における矩形状の模様12は、模様形成箇所に色の異なる繊維を用いて織成したものであることから、布地リボン16の表面だけでなく、裏面にも同一形状の模様12が形成されている（後述図５参照）。
尚、模様12の形状は、図示の矩形状に限定されるものではなく、円等の幾何模様、花や動物形状の模様等、任意の形状で良い。
【００１４】
上記弱粘着剤層14は、布地リボン16の裏面に、例えばアクリル系等の透明な弱粘着剤を塗布することにより形成されている。尚、不透明な弱粘着剤を塗布して上記弱粘着剤層14を形成することも勿論可能である。
【００１５】
図１及び図４に示すように、上記帯状の布地リボン16は、厚紙より成る円管状の芯材18の外周にロール状に巻回されている。また、上記芯材18の両側面に、厚紙より成り、ロール状の布地リボン16より大径の一対の円盤材20，20が固着されることにより、ロール状の布地リボン16の側面が保護されるようになっている。
【００１６】
帯状の布地リボン16をロール状に巻回すると、図４に示すように、布地リボン16裏面の弱粘着剤層14が、模様12の形成された布地リボン16の表面に密着することとなるが、上記弱粘着剤層14は布地リボン16表面と剥離可能な状態で密着しているものである。  このため、弱粘着剤層14の外面に剥離紙を貼着した上で巻回する必要が無く、剥離紙不要で帯状の布地リボン16を巻回することができるので、布地リボン16の使用時に剥離紙を剥がす手間がかからないものである。
【００１７】
上記構成を備えた本考案の布地リボン体10にあっては、布地リボン16の裏面に弱粘着剤層14が形成されているので、巻回された布地リボン16の先端を摘んで任意の長さ引き出して切断後、物品に貼り付けるだけで、誰でも簡単に布地リボン16を用いた物品の装飾を行うことができ、従来の布地リボンを用いた装飾のように、熟練の技が要求される巻き付けや結び目を作る作業が不要である。
尚、物品を包む包装紙を留める際に通常用いられているセロテープ（登録商標）の代わりに、本考案の布地リボン16を用いれば、包装紙を留めると同時にきれいな装飾を施すことができる。
さらに、裏面に弱粘着剤層14が形成された本考案の布地リボン16を、例えば傘等の自分の持ち物に手軽に貼り付けることにより、装飾性を備えた目印として使用することもできる。
【００１８】
また、布地リボン16裏面の弱粘着剤層14は、布地リボン16表面と剥離可能な弱粘着力であるため、物品へ一度貼り付けた後に簡単に剥がすことができ、装飾の修正・変更を簡単に行うことができる。
【００１９】
図５及び図６は、本考案に係る布地リボン16の使用状態の一例を示す斜視説明図であり、図５は写真立て22に装飾を施した例、図６は植木鉢24に装飾を施した例である。
図５及び図６においては、異なる模様12を有する２種類の布地リボン16，17を用いており、本考案の２種類の布地リボン16，17を適宜な形態で物品に貼り付けることにより簡単に装飾を行うことができる。
【００２０】
上記の通り、模様形成箇所に色の異なる繊維を用いて矩形状の模様12を織成した布地リボン16は、布地リボン16の表面だけでなく、裏面にも同一形状の模様12が形成されていると共に、弱粘着剤層14が透明であることから、図５に示すように、物品の装飾時に布地リボン16が折り返されて裏面が表側になっても、布地リボン16裏面の模様12が視認されるので、自由度の高い効果的な装飾を行うことができる。
尚、布地リボン16の表面に形成した模様12とは異なる模様12を、布地リボン16の裏面に形成しても勿論良い。
【符号の説明】
【００２１】
10  布地リボン体
12  模様
14  弱粘着剤層
16  布地リボン
17  布地リボン
18  芯材
20  円盤材
22  写真立て
24  植木鉢
【図１】
0003183611.tif 000003
【図２】
0003183611.tif 000004
【図３】
0003183611.tif 000005
【図４】
0003183611.tif 000006
【図５】
0003183611.tif 000007
【図６】
0003183611.tif 000008